(57)【要約】【課題】  タイマ予約により放送番組を受信し記録する場合に、複数のディスク状記録媒体に異なる放送番組のオーディオ信号等のような異なる情報信号を記録をすることができる記録装置を提供する。【解決手段】  時計部１２４の時刻情報がＲＡＭ１２３に一時記憶された予約情報に含まれる第１の予約時刻情報に一致するとき、チューナ部１２２に当該予約情報に対応する第１の放送信号を受信させると共に、記録／再生部１３４ｃにより、複数の記録媒体が収納されるディスク収納部１３４ａに収納された複数のディスク状記録媒体のうちの第１の記録媒体に当該第１の放送信号をタイマ記録させ、上記時刻情報が上記予約情報に含まれる第２の予約時刻情報に一致するとき、チューナ部１２２に当該予約情報に対応する第２の放送信号を受信させると共に、ディスク収納部１３４ａに収納された複数のディスク状記録媒体のうちの第２の記録媒体にタイマ記録させる。【選択図】  図１
2004319090.tif 000002
【特許請求の範囲】
【請求項１】
チューナ部と、
時刻情報を発生する時計部と、
予約情報が一時記憶されるメモリと、
複数の記録媒体が収納される収納手段と、
上記チューナ部を介して受信される放送信号を上記複数の記録媒体のうちの一の記録媒体に対して記録する記録手段と、
上記時刻情報が上記予約情報に含まれる第１の予約時刻情報に一致するとき、上記チューナ部に当該予約情報に対応する第１の放送信号を受信させると共に、上記記録手段に当該第１の放送信号を上記複数の記録媒体のうちの第１の記録媒体にタイマ記録させ、
上記時刻情報が上記予約情報に含まれる第２の予約時刻情報に一致するとき、上記チューナ部に当該予約情報に対応する第２の放送信号を受信させると共に、上記記録手段に当該第２の放送信号を上記複数の記録媒体のうちの第２の記録媒体にタイマ記録させる制御手段と
を備える記録装置。
【請求項２】
上記収納手段に収納された記憶媒体のうちの一の記録媒体を上記記録手段に搬送して装着し、記録手段に装着された記録媒体を上記収納手段に搬送して収納する搬送手段を備え、
上記制御手段は、上記タイマ記録の実行中にタイマオフ時刻になったとき、上記記録手段による記録動作を終了させると共に該記録手段から上記第１の記録媒体を上記収納手段へ戻すようなアンローディングを行わせることを特徴とする請求項１記載の記録装置。
【請求項３】
上記記録媒体は、カートリッジ本体内に書換可能な光ディスクを収納してなるディスクカートリッジであることを特徴とする請求項１記載の記録装置。
【請求項４】
上記制御手段は、上記記録媒体から読み出された記録内容関連情報に応じて、記録済の情報信号がある場合には記録媒体の空き領域に上記放送信号を記録することを特徴とする請求項１記載の記録装置。
【発明の詳細な説明】
【技術分野】
【０００１】
本発明は、複数の記録媒体、特に複数枚のディスク状記録媒体に、オーディオ信号等の情報信号を記録するための記録装置に関する。
【背景技術】
【０００２】
オーディオ信号等の情報信号を記録するための媒体として、高密度記録媒体である光ディスクが普及しつつある。この光ディスクは、ランダムアクセスができ、小径薄型でカートリッジに収納されているため取扱が容易であるという特徴を有している。このような光ディスクは、光磁気ディスクや相変化型光ディスクのように記録／再生が繰り返し可能なものと、いわゆるコンパクトディスクのように再生専用のものとに大別される。
【０００３】
上記の記録可能な光ディスクを用いると、オーディオ信号等の情報信号をデジタル信号として記録するために高品位の再生音を得ることができ、さらに編集や複製等を容易かつ音質を実質的に劣化させずに行うことができる。
【０００４】
【特許文献１】特開平８−２６８９４３号公報
【発明の開示】
【発明が解決しようとする課題】
【０００５】
ところで、上述した、いわゆるコンパクトディスクの再生装置にあっては、複数枚のディスクを所定の収納体（ストッカ）に収納して、それらを任意の順番で取り出して連続的に再生することができる媒体交換機構（チェンジャ）を備えた再生装置が種々提供されているが、記録可能な光ディスクに記録を行う記録装置でチェンジャ機能を備えたものはあまり知られていないのが現状である。
【０００６】
また、小型カートリッジに光磁気ディスク等の記録可能な光ディスクが収納された記録媒体では、最長記録時間が例えば７４分程度であるという制限があり、長時間の放送番組を記録する要望には十分応えられていない。特に、複数のディスク状記録媒体に連続してオーディオ信号等の情報信号を記録しようとする際には、ディスク状記録媒体を手操作により一枚ずつ記録装置に順次挿入して記録を行わなければならず、長時間の連続記録を行うことは事実上できなかった。
【０００７】
さらに、使用者が使用中の記録媒体に記録を行う場合には、消去したくない重要な情報信号が記録されていることもあるため、記録済の部分を消去しないで媒体の空き領域（未記録領域）に記録を行うことが望ましい。
【０００８】
また、タイマ予約により放送番組を受信し、受信した放送番組を記録する場合に、複数のディスク状記録媒体に異なる放送番組のような異なる情報信号の記録が行えることが望ましい。
【０００９】
本発明は、このような課題を解決するためになされたものであり、カートリッジに収納されているディスク状記録媒体等の複数の記録媒体を所定の収納手段（ストッカ）に収納しておき、複数のディスク状記録媒体に異なる放送番組のような異なる情報信号の記録を行うことができる記録装置を提供することを目的とするものである。
【課題を解決するための手段】
【００１０】
上述の課題を解決するために、本発明は、チューナ部と、時刻情報を発生する時計部と、予約情報が一時記憶されるメモリと、複数の記録媒体が収納される収納手段と、上記チューナ部を介して受信される放送信号を上記複数の記録媒体のうちの一の記録媒体に対して記録する記録手段と、上記時刻情報が上記予約情報に含まれる第１の予約時刻情報に一致するとき、上記チューナ部に当該予約情報に対応する第１の放送信号を受信させると共に、上記記録手段に当該第１の放送信号を上記複数の記録媒体のうちの第１の記録媒体にタイマ記録させ、上記時刻情報が上記予約情報に含まれる第２の予約時刻情報に一致するとき、上記チューナ部に当該予約情報に対応する第２の放送信号を受信させると共に、上記記録手段に当該第２の放送信号を上記複数の記録媒体のうちの第２の記録媒体にタイマ記録させる制御手段とを備える。
【００１１】
ここで、上記収納手段に収納された記憶媒体のうちの一の記録媒体を上記記録手段に搬送して装着し、記録手段に装着された記録媒体を上記収納手段に搬送して収納する搬送手段を備え、上記制御手段は、上記タイマ記録の実行中にタイマオフ時刻になったとき、上記記録手段による記録動作を終了させると共に該記録手段から上記第１の記録媒体を上記収納手段へ戻すようなアンローディングを行わせることが好ましい。
【００１２】
また、上記制御手段は、上記記録媒体から読み出された記録内容関連情報に応じて、記録済の情報信号がある場合には記録媒体の空き領域に上記放送信号を記録することが好ましい。
【発明の効果】
【００１３】
本発明に係る記録装置によれば、タイマ記録によりチューナ部を介して受信される放送情報を記録する場合に、複数のディスク状記録媒体に異なる放送番組のような異なる情報信号の記録を行うことができる。
【００１４】
このとき、媒体として記録可能なディスク状記録媒体を用い、ＴＯＣ情報等の記録内容関連情報に基づいて各記録媒体の未記録の空き領域を探して、これらの空き領域に順次記録することにより、使用中の記録媒体を用いても、記録済の情報信号を消去することなく複数の記録媒体に亘る連続記録が行える。
【発明を実施するための最良の形態】
【００１５】
以下に、本発明の好ましい実施の形態について図面を参照しながら説明する。
【００１６】
図１は、本発明に係る記録装置の実施の形態を適用したディスク記録及び／又は再生システムあるいは装置の主要部の一構成例を示すブロック図である。
【００１７】
このディスク記録及び／又は再生装置は、アンプ／制御部１１０，チューナ／タイマ部１２０，ディスク記録／再生部１３０から構成され、上記各部はバスラインを介して互いに各種制御情報を送受信している。また、オーディオ信号等の情報信号が上記各部間で送受信されることはもちろんである。
【００１８】
アンプ／制御部１１０は、このディスク記録及び／又は再生装置全体に電源を供給し、この装置全体を制御する手段を備えている。また、後述するチューナ／タイマ部１２０やディスク記録／再生部１３０から出力されるオーディオ信号等の情報信号を増幅して図示しないスピーカに供給する機能等も備えている。このアンプ／制御部１１０は、バスラインを介してディスク記録及び／又は再生装置の各部と制御信号を送受信しながら上記装置全体を制御する手段である制御回路１１１、制御回路１１１に動作を指示するためのスイッチやダイヤル等を備えた操作部１１２、制御回路１１１からの情報に基づいて上記装置の各部の動作状態を表示するための液晶表示装置等を備えた表示部１１３から構成される。
【００１９】
チューナ／タイマ部１２０は、放送番組を受信して得たオーディオ信号等の情報信号をディスク記録／再生部１３０等に供給する機能と、アンプ／制御部１１０の操作部１１２から入力されて設定された放送番組をタイマ予約により受信する手順を記憶する機能を備えている。このチューナ／タイマ部１２０は、ディスク記録及び／又は再生装置の各部とバスラインを介して制御信号を送受信しながらチューナ／タイマ部１２０の動作を制御する手段である制御回路１２１、放送番組を受信する手段であるチューナ部１２２、チューナ部１２２でタイマ予約により番組を受信するための番組予約情報を記憶させるＲＡＭ（ランダムアクセスメモリ）１２３、時刻情報を発生する時計部１２４から構成される。そして、制御回路１２１は、ＲＡＭ１２３に記憶された番組予約情報と時計部１２４からの時刻情報に基づいてチューナ部１２２を制御して選局等を行って、所望の放送番組のオーディオ信号等の情報信号を受信する。
【００２０】
ディスク記録／再生部１３０は、複数の光ディスクにオーディオ信号等の情報信号を記録および再生する機能を備えている。そして、このディスク記録／再生部１３０は、ディスク記録及び／又は再生装置の各部とバスラインを介して制御信号を送受信しながらディスク記録／再生部１３０の動作を制御する手段である制御回路１３１、制御回路１３１に動作を指示するためのスイッチやダイヤル等を備えた操作スイッチ群１３２、制御回路１３１からの情報に基づいて上記装置の各部の動作状態を表示するための液晶表示装置等を備えた表示部１３３、複数の光ディスクにオーディオ信号等の情報信号を記録および再生を行うディスク交換および記録／再生部１３４から構成される。ディスク交換および記録／再生部１３４は、さらに、情報信号が記録される複数の光ディスクを収納する手段であるディスク収納部１３４ａ、制御回路１３１からの制御に基づいてディスク収納部１３４ａに収納されたディスクをスピンドルに装着（ローディング）してチャッキングする手段、およびチャッキングされているディスクを脱着（アンローディング）する手段であるディスク搬送部１３４ｂ、搬送されてスピンドルにチャッキングされたディスクに情報信号を記録／再生する手段である記録／再生部１３４ｃから構成される。
【００２１】
なお、上記アンプ／制御部１１０，チューナ／タイマ部１２０，ディスク記録／再生部１３０の各部は、各々独立した筐体に収納された装置を組み合わせる、いわゆるコンポーネントステレオシステムの構成としてもよく、また、各部を１つの筐体内に収納して一体化した構成としてもよい。
【００２２】
図２は、図１に例示の構成を有するディスク記録及び／又は再生装置の外観の一例を示す図である。
【００２３】
ここでは、図１に示した各部が各々独立した筐体に収納された構成を示しており、上から、それぞれチューナ／タイマ部１２０、アンプ／制御部１１０、ディスク記録／再生部１３０である。
【００２４】
アンプ／制御部１１０は、前述したように、チューナ／タイマ部１２０やディスク記録／再生部１３０を制御するための制御回路１１１を内部に備えており、制御回路１１１に各種入力を行うための各種ダイヤルやキーが設けられた操作部１１２、このディスク記録及び／又は再生装置全体の動作を制御回路１１１を介して表示する大型の液晶パネルからなる表示部１１３を備えている。
【００２５】
図３は、この表示部１１３の表示例を示している。以下に、上述したディスク記録及び／又は再生装置において、タイマ予約により放送番組を受信し、受信した放送番組を記録するための設定手順を図３を参照しながら具体的に説明する。  タイマ予約により放送番組を受信するためには、使用者は、まず、操作部１１２の各種メニューを選択するセレクタ（SELECTOR）ダイヤルを回して、レックタイマ（REC TIMER）モードを選択する。そして、エンター／ネクスト（ENTER/NEXT）キーを押して選択したレックタイマモードを確定する。図３の（ａ）は、このレックタイマモードが設定された状態を表す表示例である。
【００２６】
次に、セレクタダイヤルを回して、タイマ予約に関する各種設定を記憶させるファイルであるバンク（BANK）を選択し、エンター／ネクストキーを押して選択したバンクの確定を行う。図３の（ｂ）は、このバンクとしてバンク１が選択されたことを示す表示例である。
【００２７】
次に、セレクタダイヤルを回して、ワンス（ONCE）または図示しないにウイークリー（WEEKLY）のいずれかを選択する。ワンスはタイマ予約による放送番組の受信を１回だけ行うための設定であり、ウイークリーはタイマ予約による放送番組の受信を毎週同曜日の同時刻に行うための設定である。図３の（ｃ）は、ワンスが選択され、タイマ予約による放送番組の受信を１回だけ行う設定がされたことを示す表示例である。
【００２８】
そして、同様にして、タイマ録音の開始／終了時刻の設定を行った後に、セレクタダイヤルを回して、タイマ予約により受信する放送局を設定（プリセット）する。図３の（ｄ）は、日曜日の午前８時から同日の午前９時まで、周波数８１．３ＭＨｚでＦＭ放送を行う放送局を選局して放送番組を受信する設定を示す表示例である。
【００２９】
次に、セレクタダイヤルを回して、録音する機器（例えば、カセットテープレコーダあるいはディスク記録装置）等を選択する。図３の（ｅ）は、録音する機器としてディスク記録装置が選択され、そのディスク装置に収納されている１枚のディスクに記録される設定がされたことを示す表示例（D 1） である。図３の（ｆ）は、同様に、録音する機器としてディスク記録装置が選択され、そのディスク装置に収納されている全てのディスクに記録される設定がされたことを示す表示例（D ALL） である。
【００３０】
以上のような手順により、ディスク記録及び／又は再生装置において、タイマ予約により放送番組を受信し、受信した放送番組を記録するための設定が行われる。なお、このディスク記録及び／又は再生装置の表示部１１３の表示例においては、メニューが選択あるいは確定されると反転表示に変わり、確定されたことを示すようになっている。
【００３１】
次に、本発明の好ましい実施の形態であるディスク記録及び／又は再生装置の具体的な説明に先だって、これに用いる記録媒体の一例である光磁気ディスクについて説明する。
【００３２】
図４は、光磁気ディスクがディスクカートリッジに収納されている様子を示している。図４の（ａ）はディスクカートリッジを上面側から見た斜視図であり、図４の（ｂ）はディスクカートリッジを下面側から見た斜視図である。
【００３３】
すなわち、合成樹脂をモールド成形等して方形状に形成される上ハーフ６２と下ハーフ６３とを接合して構成されるカートリッジ本体６４の内部に、情報信号の記録媒体となる光磁気ディスク６５を収納している。
【００３４】
ここで用いられる光磁気ディスク６５は、直径が約６４ｍｍであり、最大７４分のオーディオ信号を記録することができる記録容量を備えている。
【００３５】
カートリッジ本体６４の下ハーフ６３側には、図４の（ｂ）に示すように、このディスクカートリッジ６１をディスク記録及び／又は再生装置に装着したときに、光磁気ディスク６５を回転させるディスク回転駆動機構のディスクテーブルが進入するディスクテーブル進入用開口部６６が設けられている。このディスクテーブル進入用開口部６６は、具体的にはカートリッジ本体６４の内部に収納された光磁気ディスク６５のセンター穴を覆って取り付けられるディスククランプ用の磁性板としての金属板６７を含む光磁気ディスク６５の内周側部分を外方に臨ませるように形成されている。
【００３６】
また、カートリッジ本体６４の上下面、すなわち上下ハーフ６２，６３には、少なくともここに収納された光磁気ディスク６５の信号記録領域の一部を径方向に亘って外方に臨ませる情報信号記録再生用開口部６８，６９が設けられている。これら情報信号記録再生用開口部６８，６９は、図４の（ｂ）に示すディスクテーブル進入用開口部６６に近接する位置からカートリッジ本体６４の前端面側に亘ってカートリッジ本体６４の左右方向のほぼ中央部に位置して方形状に形成されている。
【００３７】
上述のように構成されたカートリッジ本体６４には、図４（ａ）および（ｂ）に示すように、情報信号記録再生用開口部６８，６９を開閉するシャッタ部材７０が、カートリッジ本体６４の前端面側から嵌合するように取り付けられている。
【００３８】
図５は、図１に例示の構成を有するディスク記録及び／又は再生装置の主要部のより具体的な構成を示している。
【００３９】
すなわち、このディスク記録及び／又は再生装置は、図１に示すように、例えば最大で５枚のディスクカートリッジ１1，１2，１3，１4及び１5を５箇所の収納位置Ｐ1，Ｐ2，Ｐ3，Ｐ4及びＰ5にそれぞれ収納するストッカ２と、このストッカ２の各収納位置Ｐ1，Ｐ2，Ｐ3，Ｐ4及びＰ5におけるディスクカートリッジの有無をそれぞれ検出器３1，３2，３3，３4及び３5を使って検出するカートリッジ検出部３と、ストッカ２に収納された５枚のディスクカートリッジ１1，１2，１3，１4及び１5の内、ユーザが所望したディスクカートリッジに対して情報信号の記録及び／又は再生（以下、特に区別を要す場合を除きアクセスという。）を行う記録及び／又は再生部２０と、ストッカ２から上記所望のディスクカートリッジを取り出して記録及び／又は再生部２０に装着すると共に、この記録及び／又は再生部２０から上記所望のディスクカートリッジを取り出してストッカ２に搬送する搬送部４と、記録及び／又は再生部２０にてアクセス中のディスクカートリッジをストッカ２に戻すとき、上記元の収納位置にディスクカートリッジが有るとの検出信号をカートリッジ検出部３が出力したときには、ストッカ２内でカートリッジ検出部３が媒体の無しを検出した収納位置にアクセス中のディスクカートリッジを戻すシステム制御回路４０とを備える。
【００４０】
ストッカ２の各収納位置Ｐ1，Ｐ2，Ｐ3，Ｐ4及びＰ5は、上記５枚のディスクカートリッジ１1，１2，１3，１4及び１5を同一方向を向かせて積み重ねるように配置されている。
【００４１】
カートリッジ検出部３は、各収納位置Ｐ1，Ｐ2，Ｐ3，Ｐ4及びＰ5にて収納されるディスクカートリッジの有無を各検出器３1，３2，３3，３4及び３5にて、機械的なスイッチを使って検出する。
【００４２】
搬送部４は、上記所望のディスクカートリッジを収納位置から引き出すと共に収納位置に引き込むスライダ４ａと、上記所望のディスクカートリッジをスライダ４ａごと保持して上昇すると共に下降するエレベータ４ｂとを有している。スライダ４ａは、図示しない歯車機構を介したスライダ移動用モータ（Ｍ1）５ によって矢印Ｌ，Ｒ方向に移動する。また、エレベータ４ｂは、ラック板７の一端に形成されたラックギヤに噛合する図示しない歯車を介したエレベータ移動用モータ（Ｍ2）６によって矢印Ｕ，Ｄ方向に移動する。
【００４３】
また、エレベータ４ｂ内には、スライダ４ａのストッカ２内への引き込みを検出するスライダ引き込み位置検出スイッチ（ＳＷ）が備えられ、オン信号をシステム制御回路４０内に出力することによりストッカ２側にスライダ４ａが位置することを知らせる。また、エレベータ４ｂ内には、スライダ４ａの記録及び／又は再生部２０側への引き出しを検出するスライダ引き出し位置検出ＳＷ９も備えられ、オン信号をシステム制御回路４０内に出力することにより記録及び／又は再生部２０側にスライダ４ａが位置することを知らせる。
【００４４】
エレベータ４ｂの位置は、エレベータ位置検出ＳＷ１０により検出される。このエレベータ位置検出ＳＷ１０は、ラック板７に形成されたスリットを透過して例えば２組の受光素子に達する光の変化により、エレベータ４ｂの位置を検出する。検出信号は、システム制御回路４０に供給される。
【００４５】
上記エレベータ４ｂは、所望のディスクカートリッジが記録及び／又は再生部２０にてアクセス中、又は本装置のアクセスが正常に停止されている場合には、スライダ４ａを記録及び／又は再生部２０側、又はストッカ２側に移動して、ホームポジションと呼ばれる最降下位置にある。エレベータ４ｂがこのホームポジションにあるのを検出するのがホームポジションＳＷ１１であり、システム制御回路４０に検出信号を出力する。
【００４６】
記録及び／又は再生部２０は、スライダ４ａがディスクカートリッジを引き出した状態でエレベータ４ｂが降下してホームポジションにある場合にチャッキングされ、スピンドルモータ２５によって回転されるディスクに再生用又は記録用のレーザ光を照射する光ヘッド２１と、この光ヘッド２１から記録用のレーザ光が照射されている際にその照射位置の磁界を変調する磁界変調ヘッド２２と、光ヘッド２１の光検出器により得た検出信号を演算することによってディスク上の照射スポットの位置を光軸方向、又はディスクの径方向に移動させることによりフォーカスサーボ、又はトラッキングサーボを行うと共にスピンドルモータ２５等のサーボ処理を行うサーボ回路２６と、上記光検出器から得られる検出信号を用いて上記ディスクに記録されていた情報信号をデコードして出力端子２８から導出すると共に、入力端子２９から入力された情報信号をエンコードして磁界変調ヘッド２２に供給するエンコーダ＆デコーダ２７と、このエンコーダ＆デコーダ２７を含めて記録及び／又は再生部２０全体を制御する記録再生制御回路３０と、ディスクのユーザ管理情報を保持したり、オーディオデータを保持するＲＡＭ３１とを備えている。ここで、磁界変調ヘッド２２は、記録時を除いて回動モータ（Ｍ3）２４ により駆動される回動機構２３によりディスク上から垂直に回動された状態で保持されている。
【００４７】
この記録及び／又は再生部２０による情報信号の再生処理について説明しておく。まず、ディスクテーブルに上記所望のディスクがチャッキングされ、光ヘッド２１の対物レンズがディスクに近接させた位置に図示しないスレッドモータにより移動されると、スピンドルモータ２５が駆動を開始し、上記ディスクは回転する。
【００４８】
このとき、光ヘッド２１は、対物レンズを介してディスクの目的トラックにレーザ光を照射し、その反射光から検出器により出力信号を得る。この光ヘッド２１の出力信号は、サーボ回路２６、エンコーダ＆デコーダ２７に供給される。
【００４９】
サーボ回路２６は、例えばフォーカスサーボ制御回路やトラッキングサーボ制御回路、スピンドルモータ制御回路、スレッドサーボ制御回路等から構成される。エンコーダ＆デコーダ２７は、光ヘッド２１からの検出信号を演算し、再生出力信号を得、デインターリーブ処理や誤り訂正のための復号処理等を施す。この復号処理が施されたデータは、記録再生部制御回路３０により制御されるバッファ用のメモリとなるＲＡＭ３１に一旦書き込まれた後読み出されて出力端子２８から導出される。
【００５０】
また、この記録及び／又は再生部２０によるディスクへの情報信号の記録処理について説明しておく。まず、入力端子２９から入力された情報信号は、エンコーダ＆デコーダ２７で符号化処理や誤り訂正処理等のエンコード処理が施され、磁界変調ヘッド２２に供給される。磁界変調ヘッド２２はこのエンコード出力信号に応じて磁界を変調する。このとき、光ヘッド２１は、ディスクに記録用のレーザ光を照射するのでディスクの信号記録面は保磁力が低下して上記磁界変調ヘッド２２により容易に磁化の向きを上記情報信号に応じて変化させることができる。
【００５１】
図６は、図５に例示の構成を有するディスク記録／再生部１３０の外観の一例を示している。
【００５２】
次に、システム制御回路４０は、図２に示すような操作パネル４２上の各操作ＳＷをユーザが操作したとき、上記搬送部４を使ってストッカ２から所望のディスクカートリッジを取り出し、記録及び／又は再生部２０にチャッキングし、記録再生制御回路３０を介して記録及び／又は再生部２０にアクセスさせる。
【００５３】
操作パネル４２は、リリース（RELEASE）キー４３と、イジェクト（EJECT）キー４４と、その他図２に示すような、ディスク選択キー５２、記録選択キー５３、再生キー５４、停止キー５５等を備えている。
【００５４】
リリースキー４３は、記録及び／又は再生部２０にてアクセス中のディスクカートリッジをストッカ２内の所定の収納位置に戻すキーである。特にディスクカートリッジをストッカ２の所定の収納位置から取り出したい場合、ユーザはその収納位置のそれぞれ近傍に配設されたイジェクトキー４４を操作することになる。
【００５５】
また、操作パネル４２には、アクセス中のディスクカートリッジのサンプリング周波数を例えば３２ＫＨｚ、４４．１ＫＨｚ、４８ＫＨｚのように表示するサンプリング周波数表示部（SAMPLING FREQUENCY）や、記録及び／又は再生部２０によるアクセスを繰り返させるリピートキー（REPEAT）や、アクセス中のディスクカートリッジ名，トラック名等を表示する表示部４５に関するディスプレイキー（DISPLAY）、現在アクセス中のディスクカートリッジ以外のディスクカートリッジをアクセスする際に用いられるスキップキー（DISC SKIP）、アクセスを継続させる継続キー（CONTINUE）、シャッフル再生を行わせるためのシャッフルキー（SHUFFLE）、プログラム記録再生を行わせるためのプログラムキー（PROGRAM）等が備えられている。
【００５６】
また、図６及び図７に示すように、操作パネル４２の中央部には、外部からストッカ２に収納されたディスクカートリッジを視認させるためのストッカ用透明窓５０が形成された蓋部５１が設けられている。このため、ユーザは、蓋部５１を閉じたままでも、例えば５枚のディスクカートリッジ１1，１2，１3，１4 及び１5の頭部のラベル面に記載されたアルバム名等を視認できる。また、このストッカ用透明窓５０の下部には、表示部４５用の透明窓も形成されている。ストッカ２にディスクカートリッジを挿入したり、イジェクトさせる場合には蓋部５１を図３に示すように開放すればよい。
【００５７】
次に、チューナ／タイマ部１２０で受信した１つの放送番組のオーディオ信号等の情報信号を、ディスク記録／再生部１３０に収納された５枚の光磁気ディスク（以下、ディスクともいう）に亘って連続的に記録する場合の動作を図１及び図８を参照しながら具体的に説明する。
【００５８】
図８は、図１に構成例を示したディスク記録及び／又は再生装置の動作の一例を示すフローチャートである。
【００５９】
以下に、チューナ／タイマ部１２０で受信した１つの放送番組のオーディオ信号等の情報信号を、ディスク記録／再生部１３０に収納された５枚の光磁気ディスク（以下、ディスクともいう）に亘って連続的に記録する場合を例として、図１及び図８を参照しながらディスク記録及び／又は再生装置の動作を具体的に説明する。
【００６０】
ここで、上記ディスク記録及び／又は再生装置は、電源がオフになっているものとし、チューナ／タイマ部１２０により装置の電源がオンになる以前に手動で電源がオンにされていないものとする。なお、チューナ／タイマ部１２０は、時計部１２４のみが微小電流でオン（エバーオン）されている。
【００６１】
ステップＳ１では、時計部１２４が、予約された放送番組について、電源をオンにするよう設定した時刻（タイマオン時刻）になったかどうかを監視している。そして、設定したタイマオン時刻になるとステップＳ２に進む。
【００６２】
ステップＳ２では、チューナ／タイマ部１２０の時計部１２４から制御回路１２１を介してアンプ／制御部１１０の制御回路１１１に制御信号を送信し、ディスク記録及び／又は再生装置（システム）全体の電源をオンにする。
【００６３】
ステップＳ３では、電源がオンにされたチューナ部１２２が、ＲＡＭ１２３に記憶されている番組予約情報あるいは選局設定情報を読み出し、その設定情報に基づいて予約番組の選局を行う。また、制御回路１２１は、ディスク記録／再生部１３０の制御回路１３１に記録開始信号を送信する。この記録開始信号の送信は、アンプ／制御部１１０の制御回路１１１が行うようにしてもよい。
【００６４】
ディスク記録／再生部１３０の制御回路１３１は、上記記録開始信号を受信して記録開始制御を行うわけであるが、このとき、まずステップＳ４で、１枚目のディスクがディスク収納部１３４ａのストッカに収納されているかどうかを確認する。この確認は、図５のカートリッジ検出部３等により行われる。１枚目のディスクがストッカに収納されている場合にはステップＳ５に進む。一方、１枚目のディスクがストッカに収納されていないときには、後述するステップＳ１１に進む。
【００６５】
ステップＳ５では、ディスク搬送部１３４ｂが、１枚目のディスクをストッカから取り出して、記録／再生部１３４ｃのディスクを回転駆動するスピンドルに装着して記録可能な状態にするような、いわゆるローディングを行う。
【００６６】
ステップＳ６では、装着されチャッキングされた１枚目のディスクに記録済の情報信号があるかどうかを確認する。記録済の情報信号がないときには、ステップＳ７に進み、ディスクの記録領域の先頭から記録が開始される。一方、記録済の情報信号があるときには、ステップＳ８に進み、ディスクの空き領域（未記録領域）を探し、その空き領域に記録が行われる。この空き領域の検出は、ディスク上の情報信号の記録内容に関連する情報（記録内容関連情報）である、いわゆるＴＯＣ（table of contents）情報を参照することにより行われる。このＴＯＣ情報は、ディスクの再内周あるいは最外周等の所定領域に記録されており、通常ディスク装着時に読み取られてＲＡＭ等に書き込まれる。ＴＯＣ情報の内容としては、規格や仕様によっても異なるが、一般的に、曲番（ファイル番号）、曲名（ファイル名）、ディスク上の開始・終了アドレス（トラックやセクタアドレス）、演奏時間（ファイルサイズ）、及び媒体上の空き領域のアドレスやサイズ等が必要に応じて採用されている。そして、上記ステップＳ７，Ｓ８のいずれの場合もステップＳ９に進む。
【００６７】
なお、ステップＳ６からステップＳ９までの工程、すなわちディスクに記録済の情報信号があるかどうかを確認する工程は、再度用いられる工程であるので、以下では［工程Ａ］と表示する。
【００６８】
ステップＳ９では、１枚目のディスクへの記録が終了したかどうかを監視している。１枚目のディスクへの記録が終了すると、ステップＳ１０に進む。
【００６９】
ステップＳ１０では、ディスク搬送部１４３ｂが、記録が終了した１枚目のディスクをストッカに戻すような、いわゆるアンローディングを行う。
【００７０】
ステップＳ１１では、情報信号を記録する次のディスク（ここでは２枚目のディスク）がストッカに収納されているかどうかを確認する。次のディスクがストッカに収納されているときには、ステップＳ１３に進む。一方、次のディスクがストッカに収納されていないときには、ステップＳ１２に進む。
【００７１】
ステップＳ１２では、５枚目のディスクまでのローディングがなされて、５枚のディスク全てへの記録が終了しているかどうかを確認する。まだ５枚目のディスクまでローディングされていないときには、ステップＳ１１に戻り、次のディスク（ここでは３枚目のディスク）がストッカに収納されているかどうかを再び確認する。一方、すでに５枚目のディスクまでローディングがなされて各ディスクへの記録が終了しているときには、記録動作を終了する。
【００７２】
ステップＳ１１で次のディスクがストッカに有りと判別されたときには、ステップＳ１３に進み、このステップＳ１１では、ディスクをローディング、すなわちディスク搬送部１３４ｂが、次のディスクをストッカから取り出して、記録／再生部１３４ｃのディスクを回転駆動するスピンドルに装着して記録可能な状態にする。
【００７３】
そして、再びステップＳ６からステップＳ８までの［工程Ａ］に進み、装着された次のディスクに記録済の情報信号があるかどうかを確認する。記録済の情報信号がないときには、ディスクの記録領域の先頭から記録が開始され、記録済の情報信号があるときには、ディスクの空き領域を探して、その空き領域に記録が行われる。そして、いずれの場合にも後述するステップＳ１４に進む。
【００７４】
ステップＳ１４では、２枚目以降のディスクへの記録が終了したかどうかを監視している。そして、監視しているディスクへの記録が終了すると、ステップＳ１５に進む。
【００７５】
ステップＳ１５では、ディスクのアンローディングを行う。すなわちディスク搬送部１４３ｂが、記録が終了したディスクをストッカに戻す。
【００７６】
ステップＳ１６では、５枚目のディスクまでローディングされたかどうか、すなわち５枚のディスク全てへの記録が終了したかどうかを確認する。まだ５枚目のディスクまでローディングされていないときには、ステップＳ１１に戻り、次のディスク（例えば３枚目のディスク）がストッカに収納されているかどうかを再び確認する。一方、すでに５枚目のディスクまでローディングがなされて各ディスクへの記録が終了しているときには、記録動作を終了する。
【００７７】
以上の手順により、オーディオ信号等の情報信号を、５枚のディスクに亘って実質的に連続記録をすることができる。
【００７８】
なお、ディスク搬送部１３４ｂが、ストッカに収納されたディスクをスピンドルにチャッキングして記録を開始するまでには、例えば１０秒程度の時間が必要である。このため、ディスクを交換している間の入力情報信号は記録することができないことになるが、これは図５のＲＡＭ３１（ショックプルーフメモリ）の容量を必要に応じて増やして、この間（１０秒程度）の入力情報信号を蓄積しておき、蓄積された情報信号を次のディスクに書き込むようにすることにより解決できる。
【００７９】
ここで、未使用のブランクディスクを５枚用いれば、各ディスクの記録領域の先頭から最後まで順次記録が行われ、例えば最長記録時間が７４分のディスク５枚では、３７０分もの長時間に亘る連続記録が行えることになる。また、部分的に情報信号が記録されている使用中のディスクを用いた場合でも、各ディスクの空き領域を探して複数枚のディスクに亘る連続記録が行えるため、例えば、すでに記録されている曲等を誤って消去することなく、各ディスクの空き領域を順次連続させた記録が行え、使用中のディスクの空き領域の有効利用にもつながる。
【００８０】
次に、上記の本発明に係るディスク記録及び／又は再生装置の別の動作について具体的に説明する。
【００８１】
図９は、図１に構成例を示したディスク記録及び／又は再生装置の別の動作の一例を示すフローチャートである。
【００８２】
ここでは、チューナ／タイマ部１２０で受信した複数の（例えば５つの）放送番組のそれぞれの情報信号を、ディスク記録／再生部１３０に収納された５枚の光磁気ディスク（以下、ディスクともいう）にそれぞれ対応させて記録する場合を例として、図９を参照しながら、ディスク記録及び／又は再生装置の動作を具体的に説明する。
【００８３】
ここで、上記ディスク記録及び／又は再生装置は、電源がオフになっているものとし、チューナ／タイマ部１２０により装置の電源がオンになる以前に手動で電源がオンにされていないものとする。
【００８４】
ステップＳ２１では、時計部１２４が、予約された放送番組について、電源をオンにするよう設定した時刻（タイマオン時刻）になったかどうかを監視している。そして、設定したタイマオン時刻になるとステップＳ２２に進む。
【００８５】
ステップＳ２２では、チューナ／タイマ部１２０の時計部１２４から制御回路１２１を介してアンプ／制御部１１０の制御回路１１１に制御信号を送信し、ディスク記録及び／又は再生装置（システム）全体の電源をオンにする。
【００８６】
ステップＳ２３では、電源がオンにされたチューナ部１２２が、ＲＡＭ１２３に記憶されている番組予約情報や選局設定情報を読み出し、その設定情報に基づいて予約番組の選局を行う。また、制御回路１２１は、ディスク記録／再生部１３０の制御回路１３１に記録開始信号を送信する。この記録開始信号の送信は、アンプ／制御部１１０の制御回路１１１が行うようにしてもよい。
【００８７】
ステップＳ２４では、ディスク記録／再生部１３０の制御回路１３１が、チューナ／タイマ部１２０からのディスク番号を含む記録開始信号を受信して、指定されたディスクがディスク収納部１３４ａのストッカに収納されているか、正確にはストッカの指定された収納位置にディスクが収納されているかどうかを確認する。この確認は、図５のカートリッジ検出部３等により行われる。指定されたディスクがストッカに収納されている場合にはステップＳ２６に進む。一方、指定されたディスクがストッカに収納されていないときには、ステップＳ２５に進む。
【００８８】
ステップＳ２５では、記録動作をキャンセルする処理を行う。そして後述するステップＳ３０に進む。
【００８９】
ステップＳ２６では、ディスク搬送部１３４ｂが、指定されたディスクをストッカから取り出して、記録／再生部１３４ｃのディスクを回転駆動するスピンドルに装着して記録可能な状態にする。
【００９０】
ステップＳ２７では、装着されたディスクに記録済の情報信号があるかどうかを確認する。記録済の情報信号がないときには、ステップＳ２８に進み、ディスクの記録領域の先頭から記録が開始される。一方、記録済の情報信号があるときには、ステップＳ２９に進み、ディスクの空き領域を探し、その空き領域に記録が行われる。この空き領域の検出は、ディスク上の情報信号に関する情報（記録内容関連情報）であるＴＯＣ（Table Of Contents）情報を参照することにより行われる。そして、上記ステップＳ２７，Ｓ２８のいずれの場合にもステップＳ３０に進む。
【００９１】
ステップＳ３０では、現在受信中の放送番組について、電源をオフにするよう設定した時刻になったかどうかを監視している。そして、設定した時刻（タイマオフ時刻）になるとステップＳ３１に進む。なお、ここでは図示しないが、タイマオフ時刻よりも前にディスクが一杯になったときにディスク記録／再生部１３０が記録が終了することもある。
【００９２】
ステップＳ３１では、ディスクへの記録が既に終了しているかどうかを確認する。ディスクへの記録がすでに終了していればステップＳ３３に進み、まだ記録中であれば、ステップＳ３２でディスクへの記録を停止（ストップ）してステップＳ３３に進む。
【００９３】
ステップＳ３３では、チューナ／タイマ部１２０の時計部１２４から制御回路１２１を介してアンプ／制御部１１０の制御回路１１１に制御信号を送信し、ディスク記録及び／又は再生装置全体の電源をオフにする。このときディスク記録／再生部１３０では、ディスク交換部４３ａが、ディスクをストッカに戻すようなディスクのアンローディングを行う。
【００９４】
そして、再びステップＳ２１に戻り、電源をオンにするよう設定した次の時刻になったかどうかを監視する。
【００９５】
以上の手順により、５枚のディスクに異なる放送番組のオーディオ信号等のような異なる情報信号を記録をすることができる。
【００９６】
この他、ディスク記録／再生部１３０により、ストッカに収納された複数の記録媒体の媒体交換を伴いながら、複数の媒体に亘って連続して、あるいは各媒体毎に独立に、情報信号の記録が行え、例えばいわゆるＣＤチェンジャと組み合わせて種々の形態の記録が行える。
【００９７】
また、本発明の好ましい実施の形態として、書換可能なディスク状記録媒体として光磁気ディスクを例として説明したが、例えば、相変化型光ディスクや磁気ディスク等を用いてもよい。さらに、本発明は、ディスク状記録媒体を用いる場合にのみ適用可能なものではなく、ストッカに収納して媒体交換機構により媒体を交換することが可能な記録媒体、例えばデジタルオーディオテープ等を用いる場合にも適用可能なものである。
【図面の簡単な説明】
【００９８】
【図１】本発明を適用したディスク記録及び／又は再生装置の一構成例を示すブロック図である。
【図２】本発明を適用したディスク記録及び／又は再生装置の外観および操作部の一例を示す図である。
【図３】本発明を適用したディスク記録及び／又は再生装置のディスク記録／再生部の外観および操作部の一例を示す図である。
【図４】本発明を適用したディスク記録及び／又は再生装置に用いられるディスクカートリッジを上面側および下面側から見た斜視図である。
【図５】本発明を適用したディスク記録／再生部の主要部の一構成例を示す図である。
【図６】本発明を適用したディスク記録及び／又は再生装置のディスク記録／再生部の操作部の一例を示す図である。
【図７】本発明を適用したディスク記録及び／又は再生装置のディスク記録／再生部のディスク収納部の一例を示す図である。
【図８】本発明を適用したディスク記録及び／又は再生装置の動作の一例を示すフローチャートである。
【図９】本発明を適用したディスク記録及び／又は再生装置の別の動作の一例を示すフローチャートである。
【符号の説明】
【００９９】
１１０  アンプ／制御部、  １１１，１２１，１３１  制御回路、  １１２  操作部、  １１３，１３３  表示部、  １２０  チューナ／タイマ部、  １２２  チューナ部、  １２３  ＲＡＭ、  １２４  時計部、  １３０  ディスク記録／再生部、  １３２  操作スイッチ群、  １３４  ディスク交換および記録／再生部、  １３４ａ  ディスク収納部、  １３４ｂ  ディスク搬送部、  １３４ｃ  記録／再生部
【図１】
2004319090.tif 000003
【図２】
2004319090.tif 000004
【図３】
2004319090.tif 000005
【図４】
2004319090.tif 000006
【図５】
2004319090.tif 000007
【図６】
2004319090.tif 000008
【図７】
2004319090.tif 000009
【図８】
2004319090.tif 000010
【図９】
2004319090.tif 000011